(57)【要約】【課題】表示対象地域においてサマータイムが実施されていることを使用者に負担を掛けることなく確実に案内すること。【解決手段】受信した電波に基づいて計時した時刻を表示する電波修正時計１００において、時刻表示の対象となる表示対象地域が、直前に設定されていた表示対象地域と異なる場合、使用者による移行操作を介することなくＳＭＴ設定モードへ移行するようにした。これにより、表示対象地域においてサマータイムが実施されていることを使用者に負担を掛けることなく確実に案内することができる。【選択図】図１
2018159679.tif 000002
【特許請求の範囲】
【請求項１】
内部時刻を計時する計時手段と、
前記計時手段が計時する内部時刻を表示する表示手段と、
前記表示手段による時刻表示の対象となる表示対象地域を設定する地域設定手段と、
前記地域設定手段により設定された前記表示対象地域が直前に設定されている表示対象地域と異なる場合、前記内部時刻に加算されるサマータイム加算値を設定するＳＭＴ設定モードに移行するモード移行手段と、を備える
ことを特徴とする電子時計。
【請求項２】
前記モード移行手段は、前記表示対象地域の変更操作を受け付けた場合、前記ＳＭＴ設定モードに移行する
ことを特徴とする請求項１に記載の電子時計。
【請求項３】
衛星電波を受信し、当該衛星電波に基づく測位をおこなう測位手段を備え、
前記表示対象地域は、前記測位手段による測位結果に基づいて設定される
ことを特徴とする請求項１又は２に記載の電子時計。
【請求項４】
前記モード移行手段は、前記測位手段による測位結果に基づく測位位置が直前に設定された表示対象地域から所定距離以上離れている場合、前記ＳＭＴ設定モードに移行する
ことを特徴とする請求項３に記載の電子時計。
【請求項５】
前記モード移行手段は、前記ＳＭＴ設定モードにおける操作が完了するまでの間、前記ＳＭＴ設定モードとは異なるモードへ移行しない
ことを特徴とする請求項１〜４のいずれか一つに記載の電子時計。
【請求項６】
サマータイムがおこなわれる可能性がある実施可能期間を記憶する記憶手段を備え、
前記モード移行手段は、前記計時手段が計時する内部時刻が、前記記憶手段が記憶する実施可能期間に含まれる場合、前記ＳＭＴ設定モードに移行する
ことを特徴とする請求項１〜５のいずれか一つに記載の電子時計。
【請求項７】
前記記憶手段は、地域ごとに複数の実施可能期間を記憶し、
前記モード移行手段は、前記記憶手段が記憶する複数の実施可能期間の中から前記表示対象地域に応じた実施可能期間を選択し、前記計時手段が計時する内部時刻が選択した実施可能期間に含まれる場合、前記ＳＭＴ設定モードに移行する
ことを特徴とする請求項６に記載の電子時計。
【請求項８】
前記ＳＭＴ設定モードに移行してから所定時間、当該ＳＭＴ設定モードに移行したことを通知する通知手段を備える
ことを特徴とする請求項１〜７のいずれか一つに記載の電子時計。
【請求項９】
前記表示手段は、前記モード移行手段により前記ＳＭＴ設定モードに移行してから所定時間が経過した場合、所定のＳＭＴの設定値に基づいてサマータイムを表示する
ことを特徴とする請求項１〜８のいずれか一つに記載の電子時計。
【請求項１０】
前記通知手段は、前記モード移行手段により前記ＳＭＴ設定モードに移行してから所定時間が経過するまでにサマータイムの表示操作を受け付けなかった場合、当該表示操作を受け付けていないことを通知する
ことを特徴とする請求項８又は９に記載の電子時計。
【発明の詳細な説明】
【技術分野】
【０００１】
この発明は、時刻情報に基づいて計時した時刻を表示する電子時計に関する。
【背景技術】
【０００２】
従来、標準電波やＧＰＳ（Ｇｌｏｂａｌ  Ｐｏｓｉｔｉｏｎｉｎｇ  Ｓｙｓｔｅｍ）衛星から送信される時刻情報を含む電波を受信し、設定されたタイムゾーンにおける時刻を受信された電波に基づいて計時するとともに、計時される時刻を表示する電波修正時計がある。このような電波修正時計においては、たとえば、サマータイム（ＳＭＴ：Ｓｕｍｍｅｒ  Ｔｉｍｅ、夏時間ともいう）制度を導入している国や地域において、標準時刻より１時間進めたサマータイムを表示することができるようにしたものがあった。
【０００３】
具体的には、従来、たとえば、長波帯の標準電波に基づいて時刻を計時する電波修正時計において、標準電波に含まれている時刻情報やサマータイム施行中であるかを示す付加情報などのサマータイムに関する情報を用いて、使用者の操作を介することなく自動的にサマータイムを表示するようにした技術があった（たとえば、下記特許文献１を参照。）。
【０００４】
また、ＧＰＳ衛星から送信される電波に基づいて時刻を計時する電波修正時計においては、電波修正時計自体は国や地域ごとのサマータイムに関する情報を記憶していないため、たとえば、リューズを引き出した状態でプッシュボタンを操作するなどの所定の操作をおこなうことによって、サマータイムを表示するサマータイム設定のＯＮ／ＯＦＦを切り替える。
【０００５】
また、ＧＰＳ衛星から送信される電波に基づいて時刻を計時する電波修正時計においては、サマータイムが実施されている国や地域において測位をおこなった後に、使用者がリューズやプッシュボタンの操作によりサマータイムの設定モードを設定し、サマータイム設定がＯＮされた場合、測位をおこなった位置が属するタイムゾーンにおけるサマータイムを表示する。
【先行技術文献】
【特許文献】
【０００６】
【特許文献１】特開２００１−２３５５６８号公報
【発明の概要】
【発明が解決しようとする課題】
【０００７】
しかしながら、上述した従来の技術は、サマータイムに関する情報を含む標準電波を受信することができない環境にある場合は、該当するタイムゾーンにおけるサマータイム設定を適用するかどうかが不明であるため、自動的にサマータイム設定に切り替えることができないという問題があった。
【０００８】
また、ＧＰＳ衛星から送信される電波には、サマータイムに関する情報が含まれておらず、当該電波に基づいて時刻を計時する電波修正時計の場合、電波を受信しただけではサマータイム設定を適用するかどうかが不明であるため、自動的にサマータイム設定に切り替えることができないという問題があった。
【０００９】
このように、電波修正時計が、外部からサマータイムに関する情報を受信できない環境にある場合や、受信された電波に基づいてサマータイムを自動的に設定する構成を備えていない場合、使用者に誤った時刻を表示し続けるおそれがある。使用者は、サマータイムが実施されていることに気づくまで、時刻がずれた状態で時計を使用してしまうおそれがあり、不便であるという問題があった。
【００１０】
ＧＰＳ衛星から送信される電波に基づいて時刻を計時する電波修正時計において、電波修正時計の位置情報ごとにサマータイムに関する情報をメモリに記憶する構成とすることにより上記のような不具合は解消されるが、記憶する情報量が増大し、処理が複雑化してしまうため、特に小型で低消費電力の時計にこのようなメモリを搭載することは厳しい。
【００１１】
この発明は、上述した従来技術による問題点を解消するため、時刻の表示対象となる地域においてサマータイムが実施されていることを使用者に負担を掛けることなく確実に案内することができる電子時計を提供することを目的とする。
【課題を解決するための手段】
【００１２】
上述した課題を解決し、目的を達成するため、この発明にかかる電子時計は、内部時刻を計時する計時手段と、前記計時手段が計時する内部時刻を表示する表示手段と、前記表示手段による時刻表示の対象となる表示対象地域を設定する地域設定手段と、前記地域設定手段により設定された前記表示対象地域が直前に設定されている表示対象地域と異なる場合、前記内部時刻に加算されるサマータイム加算値を設定するＳＭＴ設定モードに移行するモード移行手段と、を備えることを特徴とする。
【００１３】
また、この発明にかかる電子時計は、上記の発明において、前記モード移行手段は、前記表示対象地域の変更操作を受け付けた場合、前記ＳＭＴ設定モードに移行することを特徴とする。
【００１４】
また、この発明にかかる電子時計は、上記の発明において、衛星電波を受信し、当該衛星電波に基づく測位をおこなう測位手段を備え、前記表示対象地域は、前記測位手段による測位結果に基づいて設定されることを特徴とする。
【００１５】
また、この発明にかかる電子時計は、上記の発明において、前記モード移行手段は、前記測位手段による測位結果に基づく測位位置が直前に設定された表示対象地域から所定距離以上離れている場合、前記ＳＭＴ設定モードに移行することを特徴とする。
【００１６】
また、この発明にかかる電子時計は、上記の発明において、前記モード移行手段は、前記ＳＭＴ設定モードにおける操作が完了するまでの間、前記ＳＭＴ設定モードとは異なるモードへ移行しないことを特徴とする。
【００１７】
また、この発明にかかる電子時計は、上記の発明において、サマータイムがおこなわれる可能性がある実施可能期間を記憶する記憶手段を備え、前記モード移行手段は、前記計時手段が計時する内部時刻が、前記記憶手段が記憶する実施可能期間に含まれる場合、前記ＳＭＴ設定モードに移行することを特徴とする。
【００１８】
また、この発明にかかる電子時計は、上記の発明において、前記記憶手段は、地域ごとに複数の実施可能期間を記憶し、前記モード移行手段は、前記記憶手段が記憶する複数の実施可能期間の中から前記表示対象地域に応じた実施可能期間を選択し、前記計時手段が計時する内部時刻が選択した実施可能期間に含まれる場合、前記ＳＭＴ設定モードに移行することを特徴とする。
【００１９】
また、この発明にかかる電子時計は、上記の発明において、前記ＳＭＴ設定モードに移行してから所定時間、当該ＳＭＴ設定モードに移行したことを通知する通知手段を備えることを特徴とする。
【００２０】
また、この発明にかかる電子時計は、上記の発明において、前記表示手段は、前記モード移行手段により前記ＳＭＴ設定モードに移行してから所定時間が経過した場合、所定のＳＭＴの設定値に基づいてサマータイムを表示することを特徴とする。
【００２１】
また、この発明にかかる電子時計は、上記の発明において、前記通知手段は、前記モード移行手段により前記ＳＭＴ設定モードに移行してから所定時間が経過するまでにサマータイムの表示操作を受け付けなかった場合、当該表示操作を受け付けていないことを通知することを特徴とする。
【発明の効果】
【００２２】
この発明にかかる電子時計によれば、時刻の表示対象となる地域においてサマータイムが実施されていることを使用者に負担を掛けることなく確実に案内することができるという効果を奏する。
【図面の簡単な説明】
【００２３】
【図１】この発明にかかる実施の形態の電波修正時計の外観を示す説明図である。
【図２】この発明にかかる実施の形態の電波修正時計のハードウエア構成を示す説明図である。
【図３Ａ】電波修正時計の表示例を示す説明図（その１）である。
【図３Ｂ】電波修正時計の表示例を示す説明図（その２）である。
【図３Ｃ】電波修正時計の表示例を示す説明図（その３）である。
【図３Ｄ】電波修正時計の表示例を示す説明図（その４）である。
【図３Ｅ】電波修正時計の表示例を示す説明図（その５）である。
【図４】この発明にかかる実施の形態の電波修正時計の処理手順の一例を示すフローチャートである。
【図５】この発明にかかる別の実施の形態の電波修正時計の外観を示す説明図である。
【図６Ａ】液晶パネルの表示例を示す説明図（その１）である。
【図６Ｂ】液晶パネルの表示例を示す説明図（その２）である。
【図６Ｃ】液晶パネルの表示例を示す説明図（その３）である。
【発明を実施するための形態】
【００２４】
以下に添付図面を参照して、この発明にかかる電子時計を実現する電波修正時計の好適な実施の形態を詳細に説明する。
【００２５】
（電波修正時計の構成）
まず、この発明にかかる実施の形態の電波修正時計の構成について説明する。図１は、この発明にかかる実施の形態の電波修正時計の外観を示す説明図である。図１に示すように、電波修正時計１００は、外装をなすケース（外装ケース）１０１を備え、ケース１０１の内部に時刻情報を含む電波を受信可能なアンテナ及び受信部を備えており、受信したデータの時刻情報に基づいて、第１駆動部を駆動し、正確な時刻を表示することができる。受信電波としてはＧＰＳ衛星電波や標準電波、Ｂｌｕｅｔｏｏｔｈ（登録商標）などの高周波信号が挙げられ、アンテナは各電波を受信可能なアンテナを適宜選択し、配置することができる。以下の実施の形態においては、ＧＰＳ衛星電波が受信可能なアンテナを備える構成であるとして説明をおこなう。
【００２６】
ケース１０１は、たとえば、金属などの導電性部材やセラミックスや樹脂などの非導電性部材を用いて形成され、両端が開口した略円筒形状をなす。
【００２７】
ケース１０１における一端側の開口は、透明なガラス材料などを用いて略円板形状に形成された風防ガラス１０２によって閉塞されている。ケース１０１における他端側の開口は、図示を省略する裏蓋部材によって閉塞されている。裏蓋部材は、ケース１０１同様に、導電性部材や非導電性部材を用いて形成されている。
【００２８】
風防ガラス１０２の周縁は、風防ガラス１０２の直径と略同一の内径の環形状をなすベゼル１０３によって支持されている。ベゼル１０３は、外周縁をケース１０１の外周縁に沿わせた状態でケース１０１に積層されている。ベゼル１０３は、ケース１０１に対して相対的に回転可能に設けられていてもよい。ベゼル１０３は、ケース１０１同様に、導電性部材や非導電性部材を用いて形成することができる。
【００２９】
ケース１０１の側面には、リューズ１０４ａや各種のプッシュボタン１０４ｂなどによって構成される操作部１０４が設けられている。リューズ１０４ａは、ケース１０１の側面から突出する方向に１段又は２段引き出すことができる。リューズ１０４ａを側面から突出する方向に引き出さない状態を０段引きとする。また、リューズ１０４ａは、軸心周りに回転可能に設けられており、回転することにより、電波修正時計１００が表示する時刻を調整することができる。プッシュボタン１０４ｂは、使用者による各種の操作を受け付け、受け付けた操作に応じて、制御部（図２における符号２０３を参照）に対して、操作内容に応じた信号を出力する。
【００３０】
ケース１０１の内側には、文字板１０５が設けられている。文字板１０５には、指針（時刻指示針）１０６、インデックス（指標）１０７などが設けられている。指針１０６は、文字板１０５の中心などにおいて軸支されており、軸を回転中心として回転可能に設けられている。
【００３１】
指針１０６は、具体的には、たとえば、時針１０６ａ、分針１０６ｂ、秒針１０６ｃなどによって実現することができる。指針１０６は、秒針１０６ｃを備えず、時針１０６ａと分針１０６ｂのみによって実現してもよい。指針１０６は、指針１０６に連結された指針車、ステッピングモータ、指針車とステッピングモータとを連結する輪列などによって構成される駆動機構に連結されている。
【００３２】
指針１０６に連結されるステッピングモータは、モータ駆動回路から出力される駆動パルスに応じた正転（右回り）又は逆転（左回り）の回転動作をおこなう。駆動機構は、ステッピングモータの回転を、輪列や指針車を介して指針１０６に伝達することによって、当該指針１０６をステッピングモータの回転方向に応じた所定の方向に回転させる。
【００３３】
駆動機構において、ステッピングモータは、１つであっても複数であってもよい。たとえば、指針１０６と同数の複数のステッピングモータを用いて、時針１０６ａ、分針１０６ｂ、秒針１０６ｃなどの各指針１０６を、それぞれ独立に駆動することができる。また、ステッピングモータ及び輪列は、指針１０６の数と一致していなくてもよい。たとえば、時針１０６ａ及び分針１０６ｂを１つめのステッピングモータによって駆動し、２つめのステッピングモータによって秒針１０６ｃを駆動するようにしてもよい。
【００３４】
インデックス１０７は、指針１０６の回転軸心を中心とする円周上に配置されており、指針１０６が指し示す位置すなわち時刻を示す。インデックス１０７は、たとえば、文字、数字、記号などによって実現することができる。電波修正時計１００においては、文字板１０５におけるインデックス１０７、指針１０６、駆動機構などによって、時刻の表示にかかる第１駆動部（図２における符号２０４を参照）が構成されている。
【００３５】
文字板１０５には、受信部によるＧＰＳ衛星から送信される電波（衛星信号）の受信状態を表示するためのマーカー１１０が配置されている。マーカー１１０は、たとえば、ＧＰＳ衛星から送信される電波の受信中であることを示す「ＲＸ」や、ＧＰＳ衛星から送信される電波の受信処理の成否を示す「ＯＫ」や「ＮＯ」などの文字列、及び、当該文字列が示す各位置を示す記号によって実現することができる。
【００３６】
電波修正時計１００は、たとえば、直前におこなわれた受信に成功したことを示す場合は、電波修正時計１００に対する所定の操作に応じて、秒針１０６ｃなどの特定の指針１０６を運針させて「ＯＫ」を指し示す。また、直前におこなわれた受信が失敗したことを示す場合は「ＮＯ」を指し示す。
【００３７】
文字板１０５には、当該文字板１０５の外周に沿うように環状の見返しリング１０８が設けられている。見返しリング１０８には、都市や時差に関する情報を指示するための刻印（以下「都市表示」という）１０９が設けられている。都市表示１０９は、複数の都市名又は地域名を、タイムゾーンに基づいた順序で配列することにより構成されている。複数の都市名又は地域名に代わってタイムゾーンの符号付き数値が刻印されていてもよい。本発明における表示対象地域は、都市名、地域名、又はタイムゾーンに相当する。
【００３８】
タイムゾーンは、ＵＴＣ（Ｃｏｏｒｄｉｎａｔｅｄ  Ｕｎｉｖｅｒｓａｌ  Ｔｉｍｅ：協定世界時）に基づいて特定することができる。ＵＴＣは、世界共通の標準時であり、セシウム原子時計によって刻まれる国際原子時をもとにして常に正確な時刻をあらわす。ＵＴＣは、国際原子時と、地球の自転に基づく時刻（世界時）とのずれを補正するために、閏秒で調整された時刻をあらわす。
【００３９】
都市表示１０９は、都市表示１０９を構成する各都市名又は各地域名によって特定される都市又は地域における時刻とＵＴＣとの時差に基づいて、当該時差が小さい都市又は地域ほど時計回り方向において１２時の位置（図１における紙面上側）に近い位置に位置するように配列されている。都市表示１０９は、１周で２４時間の時差をあらわす。都市表示１０９は、たとえば、１２時の位置に表示された都市（ＬＯＮ：ロンドン）と、６時の位置に表示された都市（ＡＫＬ：オークランド）とは１２時間の時差があることを示している。
【００４０】
都市表示１０９を構成する複数の都市名又は地域名のうちのいずれかの都市名又は地域名を選択することにより、第１駆動部による時刻表示の対象となる表示対象地域を設定することができる。
【００４１】
タイムゾーンは、１度変わると４分の時差が発生する経度の違いや、国あるいは地域の経度方向における広がり、都市の位置などを考慮して区分されており、同一のタイムゾーンに属する地域においては、同一の標準時刻が用いられる。各タイムゾーンにおける標準時刻は、ＵＴＣによる基準時刻に対する時差に基づいてあらわされる。標準時刻は、たとえば、ＧＰＳ衛星から送信される電波に含まれる時刻情報に基づいて計時することができる。
【００４２】
タイムゾーンは、たとえば、都市又は地域を選択することによって設定することができる。都市又は地域の選択操作は、具体的には、たとえば、リューズ１０４ａを１段引いた状態で、都市表示１０９が示す複数の都市名又は地域名のうちタイムゾーンとして設定する都市名又は地域名に秒針１０６ｃをあわせ、この状態でプッシュボタン１０４ｂを操作するという一連の操作によって実現することができる。
【００４３】
また、タイムゾーンは、電波修正時計１００の位置情報に基づいて設定することができる。電波修正時計１００の位置情報は、電波修正時計１００の現在位置を示す。電波修正時計１００の現在位置は、複数のＧＰＳ衛星から送信される電波に基づく測位によって特定することができる。測位は、４機のＧＰＳ衛星との距離をそれぞれ算出し、それぞれの距離が一つに交わる位置を算出することによっておこなう。電波修正時計１００は、ＧＰＳ衛星から送信される電波に基づいて測位をおこなった場合、測位結果に基づいてタイムゾーンを設定する。
【００４４】
上記の第１駆動部は、操作部１０４に対する選択操作あるいは測位結果に基づいて設定されたタイムゾーンにおける時刻を表示する。
【００４５】
本実施の形態の電波修正時計１００は、上述のタイムゾーンに応じた時差に加えて、サマータイムの適用可否に応じた加算値（サマータイム加算値）を設定することができる。文字板１０５には、サマータイム情報を設定、又は確認をするための小窓１１１が設けられている。小窓１１１は、機能針１１２と、複数の案内マーク１１３と、を備えている。
【００４６】
機能針１１２は、所定の輪列を介してステッピングモータに連結されており、所定の輪列を介して伝達されるステッピングモータの回転によって回転し、初期位置又はいずれかの案内マーク１１３を指し示す。
【００４７】
電波修正時計１００においては、小窓１１１、所定の輪列、ステッピングモータなどによって、第２駆動部（図２における符号２０６を参照）が構成されている。
【００４８】
案内マーク１１３はサマータイムの設定状況を示し、たとえば、図１に示すように、サマータイムが設定されていない（サマータイム機能がＯＦＦである）ことを示す案内マーク１１３ａの「ＯＦＦ」、サマータイムの設定値（以下ＳＭＴ設定値）が０．５時間（３０分）であることを示す案内マーク１１３ｂの「０．５」、ＳＭＴ設定値が１時間であることを示す案内マーク１１３ｃの「１．０」、サマータイムの設定モード（以下、ＳＭＴ設定モード）であることを示す案内マーク１１３ｄの「ＳＭＴ」とすることができる。ここで、ＯＦＦはＳＭＴ設定値が０時間であることに等しい。
【００４９】
ＳＭＴ設定モードは、操作部１０４に対する選択操作あるいは測位結果に基づいて設定されたタイムゾーンが直前に設定されているタイムゾーンと異なる場合、すなわち、都市変更がおこなわれた場合に移行する。ＳＭＴ設定モードに移行した場合、機能針１１２は、「ＳＭＴ」の案内マーク１１３ｄを指し示す。
【００５０】
サマータイムの設定は、リューズ１０４ａによって機能針１１２を操作し、設定値である「ＯＦＦ」、「０．５」、「１．０」を示す案内マーク１１３ａ〜１１３ｃのいずれかを指示した後に、プッシュボタン１０４ｂを押すことによって決定される。このように、ＳＭＴ設定値はＳＭＴ設定モードが設定されている状態において、操作部１０４などを使用者が操作することにより、任意に選択して設定することができる。
【００５１】
具体的に、機能針１１２が、「０．５」の案内マーク１１３ｂを指し示す場合、０．５時間のＳＭＴ設定値が設定される。このとき、第１駆動部は、都市変更後のタイムゾーンにおける標準時刻に０．５時間を加算したサマータイムを表示する。また、機能針１１２は、「１．０」の案内マーク１１３ｃを指し示す場合、１．０時間のＳＭＴ設定値が設定される。このとき、第１駆動部は、都市変更後のタイムゾーンにおける標準時刻に「１．０時間」を加算したサマータイムを表示する。また、機能針１１２は、「ＯＦＦ」の案内マーク１１３ａを指し示す場合、ＳＭＴの機能はＯＦＦであるため、設定値としては０時間が設定される。このとき、第１駆動部は、都市変更後のタイムゾーンにおける標準時刻を表示する。このように、第１駆動部は、ＳＭＴ設定値を標準時刻に加算したサマータイムを表示する。本実施の形態においては、標準時刻に加算するＳＭＴ設定値によって、この発明にかかるサマータイム加算値が実現される。
【００５２】
ここで、機能針１１２は、ＳＭＴ設定モードでない場合は、いずれの案内マーク１１３も指し示さない初期位置に位置づけられる。機能針１１２の初期位置は、たとえば、図１における１２時の方向を指し示す位置とすることができる。また、ＳＭＴ設定モードではないことを示す案内マークを別に設けておき、ＳＭＴ設定モードでない場合は、機能針１１２がこの案内マークを指示するように第２駆動部を制御してもよい。
【００５３】
（電波修正時計１００のハードウエア構成）
つぎに、この発明にかかる実施の形態の電波修正時計１００のハードウエア構成について説明する。図２は、この発明にかかる実施の形態の電波修正時計１００のハードウエア構成を示す説明図である。図２に示すように、この発明にかかる実施の形態の電波修正時計１００のハードウエアは、操作部１０４と、アンテナ２０１と、受信部２０２と、制御部２０３と、第１駆動部２０４と、サマータイム設定部（以下ＳＭＴ設定部）２０５と、第２駆動部２０６と、によって構成されている。
【００５４】
たとえば、ＧＰＳ衛星から送信される電波を受信する電波修正時計１００である場合、アンテナ２０１は、ＧＰＳ衛星から送信される、周波数約１．６ＧＨｚの電波を受信するパッチアンテナによって実現することができる。アンテナ２０１は、ケース１０１の内側であって、文字板１０５の裏側に設けられている。
【００５５】
ＧＰＳ衛星は、それぞれ、地球の周回軌道を周回しており、高精度の原子時計を搭載し、当該原子時計によって計時された時刻情報を含んだ電波を周期的に送信する。各ＧＰＳ衛星は、計２５フレーム（ページ）を１セットとする航法データを繰り返し送信している。各フレームは３０秒分の信号を含んでおり、ＧＰＳ衛星は、全２５フレームの信号を１２．５分周期で送信する。
【００５６】
さらに、各フレームは、５個のサブフレームから構成される。１フレームが３０秒であるため、１つのサブフレームは６秒分の信号に相当する。１つのサブフレームは、１０ワードから構成され、１ワード３０ビット、１サブフレーム全体で３００ビット分の情報を含んでいる。
【００５７】
各サブフレームの先頭ワード（第１ワード）は、ＴＬＭ（ＴｅＬｅＭｅｔｒｙ  ｗｏｒｄ）と称され、その先頭部分（すなわち、サブフレーム全体の先頭部分）には、当該サブフレームの開始位置を示すプリアンブルが含まれる。さらに各サブフレームの２番目のワード（第２ワード）は、ＨＯＷ（ＨａｎｄＯｖｅｒ  Ｗｏｒｄ）と称され、その先頭部分には、ＴＯＷ（Ｔｉｍｅ  Ｏｆ  Ｗｅｅｋ）情報やＷＮ（Ｗｅｅｋ  Ｎｕｍｂｅｒ）情報が含まれている。
【００５８】
ＴＯＷ情報は、週の始まり（日曜日の午前０：００）を起点としたＧＰＳ時刻（すなわちＴｉｍｅ  Ｏｆ  Ｗｅｅｋ）を示す時刻情報であって、具体的には、週のはじめからの通算秒を示す。ＴＯＷ情報が示す、週のはじめからの通算秒は、世界協定時ＵＴＣ（Ｃｏｏｒｄｉｎａｔｅｄ  Ｕｎｉｖｅｒｓａｌ  Ｔｉｍｅ）の０時００分００秒にリセットされる。
【００５９】
ＷＮ情報は、ＴＯＷ情報によりあらわされる時刻が属する週の番号（すなわちＷＮ：Ｗｅｅｋ  Ｎｕｍｂｅｒ）を示し、週に１度、日曜日の午前０：００になるごとにカウントアップされる。ＷＮ情報は、ＧＰＳ衛星から送信される衛星信号のうち、各フレームの第１サブフレーム内に格納されてＧＰＳ衛星から送信されている。電波修正時計１００は、１又は複数のＧＰＳ衛星から受信した衛星信号から得られるＴＯＷ情報やＷＮ情報などの時刻情報に基づいて、ＧＰＳ衛星によって計時されているＧＰＳ時刻を得ることができる。
【００６０】
ＴＯＷ情報やＷＮ情報によって得られるＧＰＳ時刻は、協定世界時ＵＴＣに対して、協定世界時との差を調整するために追加もしくは削除される秒である閏秒の累積によって生じた整数秒分のずれがある。ＧＰＳ衛星が送信する衛星信号には、このずれを補正するために用いられる閏秒補正値であるＬＳ（Ｌｅａｐ  Ｓｅｃｏｎｄ）情報も含まれている。具体的に、ＬＳ情報は、航法データのうち、第１８ページ目のフレームの第４サブフレームに格納されている。
【００６１】
電波修正時計１００は、ＬＳ情報を受信し、ＧＰＳ時刻に対してＬＳ情報に基づく補正をおこなうことにより、協定世界時に準拠した時刻情報を取得する。第１８ページ目のフレームの第４サブフレームには、ＬＳ情報のみでなく、次回の閏秒更新予定日時を示す情報が含まれている。電波修正時計１００は、ＬＳ情報とともに、閏秒更新予定日時に関する情報を受信してもよい。
【００６２】
受信部２０２は、高周波回路（ＲＦ回路）やデコード回路などによって実現することができる。高周波回路は、高周波数で動作する集積回路であって、アンテナ２０１が受信した電波に基づくアナログ信号に対して増幅、検波をおこなって、ベースバンド信号に変換する。デコード回路は、ベースバンド処理をおこなう集積回路であって、高周波回路が出力するベースバンド信号を復号してＧＰＳ衛星から受信した電波に基づくデータの内容を示すビット列を生成し、制御部２０３に対して出力する。この実施の形態においては、アンテナ２０１や受信部２０２によって、この発明にかかる電波受信手段を実現することができる。
【００６３】
制御部２０３は、ＣＰＵ、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などによって構成されるメモリ、ＲＴＣ（Ｒｅａｌ  Ｔｉｍｅ  Ｃｌｏｃｋ）、モータ駆動回路などを含んで構成されるマイクロコンピュータによって実現することができる。メモリは、具体的には、たとえば、ＭＯＮＯＳ（Ｍｅｔａｌ  Ｏｘｉｄｅ  Ｎｉｔｒｉｄｅ  Ｏｘｉｄｅ  Ｓｉｌｉｃｏｎ）型メモリなどの不揮発性メモリを用いることができる。
【００６４】
ＣＰＵは、ＲＡＭをワークメモリとしてＣＰＵの処理対象となるデータを書き込みながら、ＲＯＭに格納された各種の制御プログラムに従って各種の情報処理をおこない、モータ駆動回路などの電波修正時計１００が備える各部に対して駆動信号を出力する。ＲＴＣは、ＣＰＵに対して、電波修正時計１００の内部時刻の計時に使用されるクロック信号を出力する。
【００６５】
制御部２０３は、第１駆動部を駆動し、見返しリング１０８に刻印されたタイムゾーン（都市表示１０９）を秒針１０６ｃで選択可能に制御する。そして、操作部１０４によって選択されたタイムゾーンを表示対象地域として設定し、ＲＴＣが出力したクロック信号と、設定されたタイムゾーンに基づいて内部時刻を計時する。この内部時刻は、タイムゾーンにおける標準時刻に相当する。制御部２０３、第１駆動部、見返しリング１０８、操作部１０４によって、本発明における地域設定手段の一例を実現できる。
【００６６】
また、制御部２０３は、電波受信手段（アンテナ２０１及び受信部２０２）を駆動し、衛星電波や標準電波などに含まれる時刻情報に基づいて、内部時刻を正確な標準時刻に更新する。電波受信手段を駆動するタイミングは、操作部１０４に応じて強制受信の操作がおこなわれた場合や、定期的におこなう自動測時の時刻（あるいは期間）が到来した場合に、おこなうように構成することができる。
【００６７】
また、制御部２０３は、ＧＰＳ衛星から送信される電波に基づく測位をおこなって電波修正時計１００の現在位置を特定する。制御部２０３は、操作部１０４に対して測位にかかる強制受信の操作がおこなわれた場合や、定期的におこなう自動測位のタイミングが到来した場合に、電波受信手段（アンテナ２０１及び受信部２０２）を駆動し、測位をおこなう。この実施の形態においては、制御部２０３によって、この発明にかかる測位手段を実現することができる。制御部２０３と測位手段によって、本発明における地域設定手段の上述とは別の一例を実現できる。
【００６８】
また、制御部２０３は、設定されたＳＭＴ設定値に応じて「０．５時間」又は「１．０時間」を内部時刻（標準時刻）に加算したサマータイムを計時する。そして、制御部２０３は、第１駆動部２０４に対して、内部時刻に応じた駆動信号を出力する。設定されたＳＭＴ設定値が「ＯＦＦ（０時間）」である場合、すなわちサマータイムは設定されていない場合、制御部２０３は、第１駆動部２０４に対して、内部時刻として計時している標準時刻を表示させる駆動信号を出力する。一方、設定されたＳＭＴ設定値が「０．５時間」あるいは「１．０時間」である場合、制御部２０３は、第１駆動部２０４に対して、サマータイムを表示させる駆動信号を出力する。この実施の形態においては、制御部２０３によって、この発明にかかる計時手段を実現することができる。
【００６９】
第１駆動部２０４は、制御部２０３によって制御され、制御部２０３から出力される駆動信号に応じて標準時刻又はサマータイムを表示する。具体的には、第１駆動部２０４は、制御部２０３から出力される駆動信号に応じてステッピングモータを駆動し、当該ステッピングモータに連結された指針１０６を回転させることによって標準時刻又はサマータイムを表示する。この実施の形態においては、第１駆動部２０４によって、この発明にかかる表示手段を実現することができる。
【００７０】
第２駆動部２０６は、制御部２０３によって制御され、ＳＭＴ設定モードであるか否かや、ＳＭＴ設定値を表示する。具体的には、第２駆動部２０６は、制御部２０３から出力される駆動信号に応じてステッピングモータを駆動し、当該ステッピングモータに連結された機能針１１２を回転させることによって案内マーク１１３ａ〜１１３ｄのいずれか指し示す、又は案内マーク１１３以外の部分を指し示すことによって電波修正時計１００のＳＭＴ設定に関する状態を表示する。
【００７１】
ＳＭＴ設定部２０５は、サマータイムの機能のＯＮ／ＯＦＦの制御や、具体的なＳＭＴ設定値を記憶し、必要に応じて結果を制御部２０３に出力する。このＳＭＴ設定部２０５は、ＣＰＵやメモリなどを含んで構成されるマイクロコンピュータによって実現することができる。ＳＭＴ設定部２０５を実現するマイクロコンピュータは、制御部２０３を実現するマイクロコンピュータと同一のマイクロコンピュータによって実現してもよく、制御部２０３の一部であってもよい。ＳＭＴ設定モードで設定されたＳＭＴ設定値は、設定値記憶部２０５ａに記憶される。設定値記憶部２０５ａは、この発明にかかる記憶手段に相当し、マイクロコンピュータが備えるメモリによって実現することができる。
【００７２】
また、ＳＭＴ設定部２０５は、表示対象地域の変更にともなうＳＭＴ設定モードへの移行をおこなうか否かを判断し、その結果を制御部２０３に出力することができる。たとえば、表示対象地域の設定がおこなわれた際に、当該設定された表示対象地域が直前に設定されている表示対象地域と異なる場合、すなわち、表示対象地域の変更があった場合にＳＭＴ設定モードに移行する（以降、自動移行という）。このとき、ＳＭＴ設定部２０５は、第２駆動部２０６が、機能針１１２を「ＳＭＴ」の案内マーク１１３ｄを指示するように制御部２０３に出力する。これにより、使用者に対して、電波修正時計１００の動作モードがＳＭＴ設定モードへ移行したことを通知することができ、使用者がその実施を知らないでいる状態を回避させることができる。
【００７３】
具体的には、操作部１０４に対するタイムゾーン（都市又は地域名を含む）の選択操作を受け付けた場合や、ＧＰＳ衛星から送信される電波に基づく測位をおこなった場合に、あらたに設定するタイムゾーンが直前に設定されていたタイムゾーンと異なるか否かを判断する。そして、あらたに設定するタイムゾーンが直前に設定されていたタイムゾーンと異なる場合、ＳＭＴ設定モードに移行する。また、手動操作による都市設定がおこなわれ、直前に設定された都市とは異なる都市に変更された場合、ＳＭＴ設定モードに移行するようにしてもよい。
【００７４】
また、あらたに設定するタイムゾーンが、直前に設定されていたタイムゾーンと同一であっても、測位に基づく位置情報が、前回の測位位置又は設定されているタイムゾーンに応じた基準位置から一定以上の移動距離がある場合に、ＳＭＴ設定モードに移行するようにしてもよい。
【００７５】
また、自動移行するか否かの判断に、さらにカレンダー情報を用いることができる。カレンダー情報には、サマータイムの実施期間、又は実施の可能性がある期間が含まれ、タイムゾーンの変更があり、かつ、サマータイムの実施期間、又は実施可能性がある期間であれば、ＳＭＴ設定モードに移行するような構成とすることができる。カレンダー情報は、マイクロコンピュータが備えるメモリによって実現することができる。
【００７６】
このように、たとえば、変更後のタイムゾーンが夏期にサマータイム制度を導入する地域であっても、タイムゾーンの変更をおこなった時点における内部時刻がサマータイム制度の実施期間内に含まれない場合（たとえば、冬期又は、春期、秋期、及び冬期など）はＳＭＴ設定モードへ移行しないようにすることができる。
【００７７】
さらに、カレンダー情報は測位による位置情報又は都市情報に応じた数だけ複数あってもよい。たとえば、位置情報や都市情報が北半球に属するか又は南半球に属するかによって日照時間（季節）が異なる。そこで、北半球に位置する場合と南半球とでサマータイムを適用する期間が異なるカレンダー情報をメモリに記憶しておき、取得した位置情報又は設定した都市情報に応じて対応するカレンダー情報を使用することにより、適切にＳＭＴ設定モードに移行することができる。
【００７８】
また、ＳＭＴ設定部２０５は、操作部１０４の操作によってＳＭＴ設定モードが選択されたことを判定し、ＳＭＴ設定モードに移行する（移行、手動移行という）構成とすることもできる。手動移行の場合、使用者はリューズ１０４ａを１段引き出してＳＭＴ設定モードに設定する選択操作をおこなってから、さらに所定のプッシュボタン１０４ｂを操作する移行操作をおこなうという一連の操作を要する。このため、このような一連の操作がおこなわれた場合、使用者が意識的にサマータイムの設定にかかる操作をしていると判断することができる。
【００７９】
手動移行に対し、自動移行によってＳＭＴ設定モードへ移行した場合、使用者による上記のような専用の操作を介することなくＳＭＴ設定モードへの移行がおこなわれるため、使用者は自動的にＳＭＴ設定モードが設定されたことに気づかずに、ＳＭＴ設定の操作とは異なる操作をおこなうことが想定される。このような状況による誤動作を回避するために、自動移行によるＳＭＴ設定モードへ移行した場合、ＳＭＴ設定モードに関する操作以外の他の操作を禁止する構成としてもよい。これにより、電波修正時計１００は、自動移行によってＳＭＴ設定モードへ移行した場合は、ＳＭＴ設定モードへの移行操作を受け付けるまでの間、ＳＭＴ設定モードとは異なるモードへ移行しない。そして、これにより、電波修正時計１００が使用者の想定していない動作をしたり、当該動作に起因して誤動作したりすることを防止できる。
【００８０】
また、ＳＭＴ設定部２０５は、ＳＭＴ設定モードへ移行してから所定時間が経過するまでに移行操作を受け付けなかった場合、使用者の操作を介することなく、ＳＭＴ設定モードから通常の動作モードへ移行してもよい。通常の動作モードとは、たとえば、リューズ１０４ａが０段引き（リューズを引かない状態）であり、プッシュボタン１０４ｂの操作がなされていないときの時刻表示モードとすることができる。ＳＭＴ設定モードから通常の動作モードに移行する際には、上述の所定時間が経過するまでにＳＭＴ設定の操作を受け付けなかった場合、使用者の操作を介することなく、ＳＭＴ設定値を設定するようにしてもよい。この場合、自動的に設定されるＳＭＴ設定値はあらかじめ決めておくものとする。また、ＳＭＴ設定の操作はあったものの、決定がなされずに所定時間を経過した場合は、通常モードに移行する直前に機能針１１２が指していた案内マーク１１３に対応するＳＭＴ設定値を設定するようにしてもよい。
【００８１】
ＳＭＴ設定部２０５は、ＳＭＴ設定モードへ移行してから所定時間が経過するまでにＳＭＴ設定の操作を受け付けなかった場合、当該操作を受け付けていないことを通知してもよい。具体的には、機能針１１２によって案内マーク１１３ｄを指し示し続けることによって、ＳＭＴ設定の操作を受け付けていないことを通知することができる。この場合、ＳＭＴ設定部２０５、第２駆動部２０６によって、この発明にかかる通知手段を実現することができる。
【００８２】
あるいは、所定時間が経過した後に、機能針１１２を初期位置に戻すとともに、秒針１０６ｃなどの特定の指針１０６の運針を数秒おきにしたり逆回転をおこなわせたりして正常運針とは異なる運針にしたりすることによって、ＳＭＴ設定値の設定操作を受け付けていないことを通知してもよい。この場合、ＳＭＴ設定部２０５、秒針１０６ｃなどの特定の指針１０６及び当該特定の指針１０６の運針にかかる駆動機構が本発明の通知手段に相当する。
【００８３】
又は、ブザーや発光素子を用いて音や光によって、使用者に通知をおこなうように構成することもできる。この場合、ＳＭＴ設定部２０５とブザーや発光素子が、本発明の通知手段に相当する。
【００８４】
このように、ＳＭＴ設定値の設定操作を受け付けていないことを通知することにより、使用者に対して、ＳＭＴ設定をするかどうかの選択を促すことができる。これにより、使用者の所望する時刻を確実に表示することができる。
【００８５】
上述の所定時間は、自動移行する直前の操作の種類に応じて時間設定を変更することができる。使用者の操作によって都市情報（タイムゾーン含む）を変更する場合、使用者は文字板１０５を見ながら操作をおこなうため、機能針１１２が駆動してＳＭＴ設定モードになっていることに気づく可能性が高い。一方で、測位受信によるタイムゾーンの変更にともなう場合、特に定時でおこなう自動測位の場合は、使用者が測位したこと自体にも気づかない状況である可能性が高い。測位によってＳＭＴ設定モードに移行した場合の所定時間を、使用者の操作にともなってＳＭＴ設定モード移行に移行した場合の所定時間よりも長くすることにより、使用者がＳＭＴ設定モードであることに気づき適切にＳＭＴ設定をおこなうようにすることができる。
【００８６】
この実施の形態においては、ＳＭＴ設定部２０５によって、この発明にかかるモード移行手段を実現することができる。
【００８７】
上記のように、電波修正時計１００においては、手動操作により直接ＳＭＴ設定モードに移行する仕様に加えて、タイムゾーン（都市情報含む）や測位結果に基づき手動操作によることなくＳＭＴ設定モードへ移行する構成を有するため、容易にＳＭＴ設定モードへ移行できるとともに、使用者によるＳＭＴの設定忘れを防ぐことができる。
【００８８】
（表示例）
つぎに、この発明にかかる実施の形態の電波修正時計１００の表示例について説明する。図３Ａ〜図３Ｅは、電波修正時計１００の表示例を示す説明図である。図３Ａ〜図３Ｅにおいては、受信した電波に基づいて測位をおこない、当該測位結果に基づいて特定されるタイムゾーンが、サマータイムの実施対象地域であって、かつ、受信した電波に基づいて計時される標準時刻が当該実施対象地域におけるサマータイム制度の実施期間中であった場合の表示例を示している。
【００８９】
図３Ａに示すように、電波を受信する前の状態においては、指針１０６により、前回受信された電波に基づいて計時される時刻を表示する。電波を受信する前の状態においては、小窓１１１の機能針１１２は、いずれの案内マーク１１３も指し示さない初期位置を指し示す。
【００９０】
電波修正時計１００が定時測位受信又は使用者の操作による強制測位受信がおこなわれると、図３Ｂに示すように、制御回路２０３は指針１０６のうちの秒針１０６ｃを運針させて、マーカー１１０のうちの「ＲＸ」を指し示す。電波を受信している最中は、小窓１１１の機能針１１２は、初期位置のままである。
【００９１】
電波の受信に成功（完了）し、受信前のタイムゾーンと異なるタイムゾーン（たとえば時差が＋１時間）であった場合、ＳＭＴ設定部２０５は異なるタイムゾーンに変更されたと判断し、制御回路２０３は、受信された電波に含まれる時刻情報に基づく標準時刻の計時をおこなうとともに、ＳＭＴ設定モードに移行する。図３Ｃに示すように、秒針１０６ｃは受信に成功したことを示す「ＯＫ」のマーカー１１０を示す。また、時針１０６ａ及び分針１０６ｂを運針させ、受信された電波に含まれる時刻情報に基づいて計時される標準時刻（取得時刻）を表示する。さらに、機能針１１２を駆動し、ＳＭＴ設定モードであることを示す案内マーク１１３ｄを指し示す。図３Ｃに示す状態において、操作部１０４の操作（リューズ１０４ａの回転又はプッシュポタン１０４ｂの押下）によってＳＭＴ設定値を選択し、設定することができる。
【００９２】
電波修正時計１００は、操作部１０４の操作により任意のＳＭＴ設定値が選択されると、ＳＭＴ設定値に基づくサマータイムの計時を開始する。操作部１０４の操作により機能針１１２が指示する案内マーク１１３に応じて、制御回路２０３は標準時刻にＳＭＴ設定値を加算した時刻をサマータイムとして表示する。図３においては、機能針１１２が「１．０」の案内マーク１１３ｃが指示されているため、制御回路２０３は標準時刻にＳＭＴ設定値の１．０時間を加算した時刻をサマータイムとして、時針１０６ａ及び分針１０６ｂを運針させて、現在時刻として表示する。このとき、秒針１０６ｃはマーカー１１０のうちの「ＯＫ」を指し示した状態のままとする。
【００９３】
その後、図３Ｅに示すように、操作部１０４によりＳＭＴ設定値が設定（決定）されると、時針１０６ａ及び分針１０６ｂに加えて、秒針１０６ｃも標準時刻に対するＳＭＴ設定値を加味して計時される時刻にあわせて運針させるとともに、小窓１１１の機能針１１２を初期位置に戻す。
【００９４】
上述の説明においては、受信状況を示すマーカー１１０は文字板１０５上に配置され、秒針１０６ｃが指し示すとして説明をおこなったが、ＳＭＴ設定値を示す案内マーク１１３と同様に小窓１１１にマーカー１１０を配置し、機能針１１２が受信状況を示すような構成としてもよい。このとき、機能針１１２は測位受信が成功した後に、所定時間だけマーカー１１０のＯＫを指示し、その後に案内マーク１１３ｄを指し示すことによってＳＭＴ設定モードに移行したことを表示してもよい。また、機能針１１２を複数用意して、第２駆動部２０６がそれぞれの機能針を独立して駆動させて指示するような構成にすることもできる。
【００９５】
上述の説明においては、測位によるタイムゾーンの変更を例として説明をおこなったが、たとえば操作部１０４の操作により都市表示１０９を選択操作した場合は、現在の都市情報とは異なる都市が選択されたときに、機能針１１２がＳＭＴ設定モードに移行したことを示す案内マーク１１３ｄの「ＳＭＴ」を指示する構成とすることができる。
【００９６】
（電波修正時計１００の処理手順）
つぎに、この発明にかかる実施の形態の電波修正時計１００の処理手順について説明する。図４は、この発明にかかる実施の形態の電波修正時計１００の処理手順の一例を示すフローチャートである。
【００９７】
図４のフローチャートにおいて、まず、タイムゾーンの変更があるまで待機する（ステップＳ４０１）。タイムゾーンの変更は、上述したとおり、操作部１０４の操作や測位受信によって直前のタイムゾーンとは異なるタイムゾーンが設定されたときや、同じタイムゾーンではあるものの、測位受信による位置情報とタイムゾーンの基準位置とが所定以上離れた距離である場合などが挙げられる。タイムゾーンの変更がない場合は、変更があるまで待機する（ステップＳ４０１：Ｎｏ）。
【００９８】
タイムゾーンの変更があった場合（ステップＳ４０１：Ｙｅｓ）、現在時刻がサマータイム適用期間か否かを判断する（ステップＳ４０２）。サマータイムの適用期間であるか否かは、制御回路２０３が計時している内部時刻と、メモリに記憶されたサマータイム適用（適用可能性含む）期間に関する情報を有するカレンダー情報とを比較することによって判断される。つまり、現在時刻がサマータイム適用期間でなければ（ステップＳ４０２：Ｎｏ）、ＳＭＴ設定値をＯＦＦ（０時間）に設定して（ステップＳ４１３）、終了する。現在時刻がサマータイム適用期間であれば（ステップＳ４０２：Ｙｅｓ）、ＳＭＴ設定モードに移行する（ステップＳ４０３）。上述の、サマータイム適用期間に関する情報をメモリに有していない場合は、ステップＳ４０２を省略してもよい。
【００９９】
そして、ＳＭＴ設定モード以外の他のモードの操作処理を禁止する（ステップＳ４０４）。ステップＳ４０４においては、たとえば、操作部１０４から制御部２０３に出力される信号を無効とすることにより、ＳＭＴ設定モード以外の他のモードの操作処理を禁止する。ＳＭＴ設定モード以外の操作処理を受け付けないようにすることにより、使用者にＳＭＴ設定モードであることに気づきやすくすることができる。
【０１００】
次に、ＳＭＴ設定モードに移行してからの時間をカウントし、所定の経過時間を過ぎたかを判断する（ステップＳ４０５）。ステップＳ４０５において、所定の経過時間を過ぎていない（ステップＳ４０５：Ｎｏ）である場合、操作部１０４の操作によるＳＭＴ設定値の選択があったか否かを判断する（ステップＳ４０６）。
【０１０１】
ステップＳ４０６において、ＳＭＴ設定値の選択がない場合（ステップＳ４０６：Ｎｏ）は、ステップＳ４０５に戻る。ＳＭＴ設定値の選択があった場合（ステップＳ４０６：Ｙｅｓ）、選択されたＳＭＴ設定値を標準時刻に加算し、制御回路２０３は第１駆動部２０４を駆動して、この標準時刻にＳＭＴ設定値が加算された時刻を表示する（ステップＳ４０７）。
【０１０２】
次に、ＳＭＴ設定値の決定があったか否かを判断する（ステップＳ４０８）。ステップＳ４０６で選択されたＳＭＴ設定値に対して、操作部１０４の操作により決定操作がなされたかを判断し、決定操作があった場合（ステップＳ４０８：Ｙｅｓ）は、機能針１１２を初期位置に移動させて、ＳＭＴ設定モードを終了して（ステップＳ４０９）一連の処理を終了する。
【０１０３】
一方、ＳＭＴ設定値の決定がなされていない場合（ステップＳ４０８：Ｎｏ）は、ステップＳ４０５に戻る。つまり、ＳＭＴ設定値を選択している間は選択と同時にその選択指示されたＳＭＴ設定値における時刻を表示する。
【０１０４】
ステップＳ４０５においては、所定時間が経過した場合（ステップＳ４０５：Ｙｅｓ）、所定のＳＭＴ設定値に設定してＳＭＴ設定モードを終了する。所定のＳＭＴ設定値については、あらかじめメモリなどに記憶された設定値を使用する場合と、ＳＭＴ設定値の決定はおこなわれなかったものの、所定時間が経過する直前までに選択されていたＳＭＴ設定値を所定のＳＭＴ設定値として使用する場合とが挙げられる。どちらを所定のＳＭＴ設定値とするかは、以下のステップＳ４１０によって判断することができる。
【０１０５】
まず、所定時間が経過するまでの間に操作部１０４による操作がおこなわれたか否かを判断する（ステップＳ４１０）。操作がおこなわれたか否かは、たとえば、機能針１１２が案内マーク１１３ｄ「ＳＭＴ」のままであるか、ＳＭＴ設定値を示す案内マーク１１３ａの「ＯＦＦ」、案内マーク１１３ｂの「０．５」、案内マーク１１３ｃの「１．０」のうち、いずれかを示しているかで判断することができる。
【０１０６】
所定時間が経過するまでの間に操作部１０４による操作があった場合（ステップＳ４１０：Ｙｅｓ）、所定時間経過後（最後）に機能針１１２が指示していた案内マークの設定値をＳＭＴ設定値として設定し（ステップＳ４１１）、ステップＳ４０９に移行してＳＭＴ設定モードを終了する。つまり、機能針１１２が所定時間経過後に指示した値を所定のＳＭＴ設定値として標準時刻に加算したものを現在時刻として表示する。
【０１０７】
ステップＳ４１０において、所定時間が経過するまでの間に操作部１０４による操作がなかった場合（ステップＳ４１０：Ｎｏ）、あらかじめ定めておいた所定のＳＭＴ設定値を設定し（ステップＳ４１２）、ステップＳ４０９に移行してＳＭＴ設定モードを終了する。ここで、あらかじめ定めておいたＳＭＴ設定値は、たとえば、ＯＦＦ、０．５時間、１．０時間のいずれかに設定しておくことができ、ＯＦＦとした場合は、所定時間経過後はタイムゾーンに応じた標準時刻のままを現在時刻として表示し、１．０時間とした場合は、標準時刻に１時間が加算されたサマータイムを現在時刻として表示する。このあらかじめ定めておいた所定のＳＭＴ設定値は使用者が事前に設定できる構成としてもよい。このとき、操作部１０４が操作されなかったということは、使用者がＳＭＴ設定モードに気づいていない可能性もあるため、自動でＳＭＴ設定値が決定されたことを使用者に通知する手段を設けて知らせるような構成としてもよい。
【０１０８】
上述した実施の形態においては、タイムゾーンの変更があった場合にサマータイムにかかるＳＭＴ設定モードを設定する例について説明したが、サマータイムに代えて、標準時刻に対し所定時間戻す（遅くする）冬時間ないしウインタータイムなどと称される時刻を設定するモードを設定してもよい。
【０１０９】
上述した各実施の形態においては、小窓１１１によって第２駆動部２０６を実現する例について説明したが、第２駆動部２０６は小窓１１１など針を用いて対象を表示するものに限らない。たとえば、動作モードをデジタル表示する液晶パネルによって第２駆動部２０６を実現してもよい。
【０１１０】
図５は、この発明にかかる別の実施の形態の電波修正時計６００の外観を示す説明図である。図５に示すように、別の実施の形態の電波修正時計６００は、実施の形態の電波修正時計１００の小窓１１１に代えて、液晶パネル６０１を備えている。
【０１１１】
液晶パネル６０１は、ガラス基板、液晶材料、バックライトなどによって構成される。液晶材料は、透明電極の間に充填された状態で、一対のガラス基板の間に狭持されている。液晶材料と透明電極との間には、液晶の分子を一定方向に並べるための配向膜が設けられている。液晶パネル６０１は、制御部２０３によって駆動制御され、制御部２０３からの駆動信号に基づいて動作モードをデジタル表示する。
【０１１２】
（液晶パネル６０１の表示例）
図６Ａ〜図６Ｃは、液晶パネル６０１の表示例を示す説明図である。液晶パネル６０１は、ＳＭＴ設定モードが設定されているかどうかに応じて、表示内容が異なる。具体的に、ＳＭＴ設定値が「０時間」である場合、液晶パネル６０１は、図６Ａに示すように「ＳＭＴ  ＯＦＦ」を表示する。
【０１１３】
また、液晶パネル６０１は、設定されたＳＭＴ設定値に応じて、図６Ｂ又は図６Ｃに示すように、ＳＭＴ設定値を表示する。具体的に、たとえば、標準時刻に対して０．５時間（３０分）早めたサマータイムが設定されている状態では、液晶パネル６０１は、図６Ｂに示すように「ＳＭＴ  ０．５」を表示する。また、具体的に、たとえば、標準時刻に対して１．０時間早めたサマータイムが表示されている状態では、液晶パネル６０１は、図６Ｃに示すように「ＳＭＴ  １．０」を表示する。
【０１１４】
液晶パネル６０１において図６Ａ〜図６Ｃのような表示をおこなう期間は、所定時間に限定してもよい。これにより、たとえば、液晶パネル６０１を用いて、サマータイムに関する情報以外の複数の情報を案内する構成とした場合にも、液晶パネル６０１がサマータイムの通知にのみ利用される状況を回避し、当該液晶パネル６０１を効率よく利用することができる。
【０１１５】
なお、上述した各実施の形態においては、文字板１０５におけるインデックス１０７、指針１０６、駆動機構などによって、時刻の表示にかかる第１駆動部２０４を実現する例について説明した。この発明にかかる実施の形態の電波修正時計１００は、これに限るものではない。たとえば、指針１０６によって時刻を表示する第１駆動部２０４に代えて、時刻をデジタル表示する液晶パネル６０１によって第１駆動部２０４を実現してもよい。また、都市表示１０９を見返しリング１０８に設けて指針１０６で指示する構成としたが、液晶パネル６０１に都市情報を表示し操作部１０４の操作によって選択し、設定するようにしてもよい。
【０１１６】
上述した実施の形態においては、ＧＰＳ衛星から送信される電波を受信する電波修正時計であるとして説明したが、これに限るものではない。ＧＰＳ衛星から送信される電波に代えて、あるいは加えて、標準電波やＢｌｕｅｔｏｏｔｈ（登録商標）などによる外部電波を受信する電波修正時計であってもよい。また、外部電波受信を用いない（アンテナを有さない）電子時計であってもよい。このような電波修正時計又は電子時計であっても、使用者の手動操作によるタイムゾーンや都市の変更があった場合はＳＭＴ設定モードに移行することにより、サマータイムが実施されている（あるいは実施の可能性がある）ことを案内することができる。
【産業上の利用可能性】
【０１１７】
以上のように、この発明にかかる電子時計は、受信した電波に基づいて計時した時刻を表示する電子時計に有用であり、特に、表示対象地域ごとの時刻を表示する電子時計に適している。
【符号の説明】
【０１１８】
１００  電波修正時計
１０４  操作部
１０４ａ  リューズ
１０４ｂ  プッシュボタン
１０５  文字板
１０６  指針
１０６ａ  時針
１０６ｂ  分針
１０６ｃ  秒針
１０９  都市表示
１１０  マーカー
１１１  小窓
１１２  機能針
１１３（１１３ａ〜１１３ｄ）  案内マーク
２０１  アンテナ
２０２  受信部
２０３  制御部
２０４  第１駆動部
２０５  ＳＭＴ設定部
２０６  第２駆動部
６０１  液晶パネル
【図１】
2018159679.tif 000003
【図２】
2018159679.tif 000004
【図３Ａ】
2018159679.tif 000005
【図３Ｂ】
2018159679.tif 000006
【図３Ｃ】
2018159679.tif 000007
【図３Ｄ】
2018159679.tif 000008
【図３Ｅ】
2018159679.tif 000009
【図４】
2018159679.tif 000010
【図５】
2018159679.tif 000011
【図６Ａ】
2018159679.tif 000012
【図６Ｂ】
2018159679.tif 000013
【図６Ｃ】
2018159679.tif 000014